(57)【要約】【課題】動画撮影している最中に静止画撮影を割り込んで行う場合の動画像の欠落時間を短くする。【解決手段】撮像装置１００は、動画撮影を中断して静止画撮影を行う場合において、動画撮影を継続しながら絞りの駆動を行い、静止画撮影に係る絞り位置への駆動が完了した後に動画撮影を中断して静止画撮影を開始する。撮像装置１００は、静止画撮影の終了後、静止画撮影に係る絞り位置から動画撮影に係る絞り位置へ駆動させながら動画撮影を再開する。【選択図】図８
2010074795.tif 000002
【特許請求の範囲】
【請求項１】
撮像素子を用いて動画撮影及び静止画撮影を行う撮像装置であって、
絞りを動画撮影に係る絞り位置と静止画撮影に係る絞り位置との間で駆動する絞り駆動手段と、
動画撮影中に静止画撮影指示があった場合に、前記動画撮影を継続しながら、前記絞り駆動手段により前記絞りを前記動画撮影に係る絞り位置から前記静止画撮影に係る絞り位置へ駆動させ、前記静止画撮影に係る絞り位置への駆動が完了した後に前記動画撮影を中断して前記静止画撮影を開始し、前記静止画撮影の終了後、前記絞り駆動手段により前記絞りを前記静止画撮影に係る絞り位置から前記動画撮影に係る絞り位置へ駆動させながら前記動画撮影を再開する制御手段と、
を備えることを特徴とする撮像装置。
【請求項２】
撮像素子を用いて動画撮影及び静止画撮影を行う撮像装置であって、
絞りを動画撮影に係る絞り位置と静止画撮影に係る絞り位置との間で駆動する絞り駆動手段と、
動画撮影中に静止画撮影指示があった場合に、前記動画撮影を継続しながら、前記絞り駆動手段により前記絞りを前記動画撮影に係る絞り位置から前記静止画撮影に係る絞り位置へ駆動させ、前記静止画撮影に係る絞り位置への駆動が完了した後に前記動画撮影を中断して前記静止画撮影を開始し、前記静止画撮影の終了後に前記動画撮影を再開する制御手段と、
を備えることを特徴とする撮像装置。
【請求項３】
前記制御手段は、前記絞りを前記動画撮影に係る絞り位置から前記静止画撮影に係る絞り位置への駆動の完了を、各絞り位置から他の絞り位置の各々への駆動が完了するまでの所要時間が予め設定された動作時間情報と、前記絞り駆動手段による駆動を計時した駆動時間とに基づいて検出することを特徴とする請求項１又は２に記載の撮像装置。
【請求項４】
撮像素子を用いて動画撮影及び静止画撮影を行う撮像装置であって、
絞りを動画撮影に係る絞り位置と静止画撮影に係る絞り位置との間で駆動する絞り駆動手段と、
動画撮影中に静止画撮影指示があった場合に、前記動画撮影を中断して前記静止画撮影を開始し、前記静止画撮影の終了後、前記絞り駆動手段により前記絞りを前記静止画撮影に係る絞り位置から前記動画撮影に係る絞り位置へ駆動させながら前記動画撮影を再開する制御手段と、
を備えることを特徴とする撮像装置。
【請求項５】
前記撮像素子の感度を制御する感度制御手段を更に備え、
前記感度制御手段は、前記絞り駆動手段により前記動画撮影に係る絞り位置と前記静止画撮影に係る絞り位置との間で前記絞りを駆動している間、前記静止画撮影指示があった時点の動画像の輝度レベルを保つように、前記絞り位置の変化に応じて前記感度を制御することを特徴とする請求項１乃至４のいずれか一項に記載の撮像装置。
【請求項６】
撮像素子を用いて動画撮影及び静止画撮影を行い、絞りを動画撮影に係る絞り位置と静止画撮影に係る絞り位置との間で駆動する絞り駆動手段を有する撮像装置の制御方法であって、
動画撮影中に静止画撮影指示があった場合に、前記動画撮影を継続しながら、前記絞り駆動手段により前記絞りを前記動画撮影に係る絞り位置から前記静止画撮影に係る絞り位置へ駆動させ、前記静止画撮影に係る絞り位置への駆動が完了した後に前記動画撮影を中断して前記静止画撮影を開始し、前記静止画撮影の終了後、前記絞り駆動手段により前記絞りを前記静止画撮影に係る絞り位置から前記動画撮影に係る絞り位置へ駆動させながら前記動画撮影を再開する制御工程を含むことを特徴とする撮像装置の制御方法。
【請求項７】
撮像素子を用いて動画撮影及び静止画撮影を行い、絞りを動画撮影に係る絞り位置と静止画撮影に係る絞り位置との間で駆動する絞り駆動手段を有する撮像装置の制御方法であって、
動画撮影中に静止画撮影指示があった場合に、前記動画撮影を継続しながら、前記絞り駆動手段により前記絞りを前記動画撮影に係る絞り位置から前記静止画撮影に係る絞り位置へ駆動させ、前記静止画撮影に係る絞り位置への駆動が完了した後に前記動画撮影を中断して前記静止画撮影を開始し、前記静止画撮影の終了後に前記動画撮影を再開する制御工程を含むことを特徴とする撮像装置の制御方法。
【請求項８】
撮像素子を用いて動画撮影及び静止画撮影を行い、絞りを動画撮影に係る絞り位置と静止画撮影に係る絞り位置との間で駆動する絞り駆動手段を有する撮像装置の制御方法であって、
動画撮影中に静止画撮影指示があった場合に、前記動画撮影を中断して前記静止画撮影を開始し、前記静止画撮影の終了後、前記絞り駆動手段により前記絞りを前記静止画撮影に係る絞り位置から前記動画撮影に係る絞り位置へ駆動させながら前記動画撮影を再開する制御工程を含むことを特徴とする撮像装置の制御方法。
【請求項９】
請求項６乃至８のいずれか一項に記載の撮像装置の制御方法の各工程をコンピュータに実行させるためのプログラム。
【発明の詳細な説明】
【技術分野】
【０００１】
本発明は、撮像装置、その制御方法及びプログラムに関する。
【背景技術】
【０００２】
従来、ＣＣＤやＣＭＯＳイメージセンサなどの撮像素子を逐次駆動して動画撮影が可能な撮像装置では、動画撮影している最中に静止画撮影を割り込んで行うものがある。図９は、従来の撮像装置において動画撮影している最中に静止画撮影を割り込んで行う際の動作タイミングを示すタイミングチャートである。図９に示すように、撮像装置は、動画スタートスイッチが操作されて動画撮影している最中に静止画起動スイッチが操作されると、直ちに動画撮影を中断して静止画撮影へ切り替えるための静止画前処理を行う。静止画前処理の後、撮像装置は、静止画撮影を行い、動画撮影へ切り替えるための静止画後処理を行って動画像の撮影を再開する。
【０００３】
従来の撮像装置において、動画撮影している最中に静止画撮影を割り込んで行った場合の動画像の欠落時間は、静止画前処理及び静止画後処理の処理時間と静止画像の撮影時における露出時間である。従って、動画撮影時において静止画撮影を割り込んで行った場合に動画像の途切れを目立たなくするためには、上述した欠落時間を短くする必要がある。この欠落時間の大部分は、静止画前処理及び静止画後処理における動画像の撮影時の絞りと静止画像の撮影時の絞りとの切り替えを行うための絞り駆動時間と、露出時間である。特許文献１には、欠落時間の大部分を占める絞り駆動時間と静止画撮影の露出時間の和が最も小さくなるように、割り込んで行う静止画像撮影時の絞りとシャッター速度を制御することが記載されている。
【特許文献１】特開２００６−２８７５８６号公報
【発明の開示】
【発明が解決しようとする課題】
【０００４】
しかしながら、上記従来技術によっても依然として動画撮影している最中に静止画撮影を割り込んで行う場合の動画像の欠落時間の短縮は不十分であり、欠落時間のさらなる短縮が望まれていた。
【０００５】
本発明は、このような従来技術の課題を解決することを目的としてなされたものである。本発明の目的は、動画撮影している最中に静止画撮影を割り込んで行う場合の動画像の欠落時間が短い撮像装置、その制御方法及びプログラムの提供を目的とする。
【課題を解決するための手段】
【０００６】
上記目的は、撮像素子を用いて動画撮影及び静止画撮影を行う撮像装置であって、絞りを動画撮影に係る絞り位置と静止画撮影に係る絞り位置との間で駆動する絞り駆動手段と、動画撮影中に静止画撮影指示があった場合に、前記動画撮影を継続しながら、前記絞り駆動手段により前記絞りを前記動画撮影に係る絞り位置から前記静止画撮影に係る絞り位置へ駆動させ、前記静止画撮影に係る絞り位置への駆動が完了した後に前記動画撮影を中断して前記静止画撮影を開始し、前記静止画撮影の終了後、前記絞り駆動手段により前記絞りを前記静止画撮影に係る絞り位置から前記動画撮影に係る絞り位置へ駆動させながら前記動画撮影を再開する制御手段と、を備えることを特徴とする本発明による撮像装置によって達成される。
【０００７】
また、上記目的は、撮像素子を用いて動画撮影及び静止画撮影を行う撮像装置であって、絞りを動画撮影に係る絞り位置と静止画撮影に係る絞り位置との間で駆動する絞り駆動手段と、動画撮影中に静止画撮影指示があった場合に、前記動画撮影を継続しながら、前記絞り駆動手段により前記絞りを前記動画撮影に係る絞り位置から前記静止画撮影に係る絞り位置へ駆動させ、前記静止画撮影に係る絞り位置への駆動が完了した後に前記動画撮影を中断して前記静止画撮影を開始し、前記静止画撮影の終了後に前記動画撮影を再開する制御手段と、を備えることを特徴とする本発明による撮像装置によっても達成される。
【０００８】
また、上記目的は、撮像素子を用いて動画撮影及び静止画撮影を行う撮像装置であって、絞りを動画撮影に係る絞り位置と静止画撮影に係る絞り位置との間で駆動する絞り駆動手段と、動画撮影中に静止画撮影指示があった場合に、前記動画撮影を中断して前記静止画撮影を開始し、前記静止画撮影の終了後、前記絞り駆動手段により前記絞りを前記静止画撮影に係る絞り位置から前記動画撮影に係る絞り位置へ駆動させながら前記動画撮影を再開する制御手段と、を備えることを特徴とする本発明による撮像装置によっても達成される。
【０００９】
また、上記目的は、撮像素子を用いて動画撮影及び静止画撮影を行い、絞りを動画撮影に係る絞り位置と静止画撮影に係る絞り位置との間で駆動する絞り駆動手段を有する撮像装置の制御方法であって、動画撮影中に静止画撮影指示があった場合に、前記動画撮影を継続しながら、前記絞り駆動手段により前記絞りを前記動画撮影に係る絞り位置から前記静止画撮影に係る絞り位置へ駆動させ、前記静止画撮影に係る絞り位置への駆動が完了した後に前記動画撮影を中断して前記静止画撮影を開始し、前記静止画撮影の終了後、前記絞り駆動手段により前記絞りを前記静止画撮影に係る絞り位置から前記動画撮影に係る絞り位置へ駆動させながら前記動画撮影を再開する制御工程を含むことを特徴とする本発明による撮像装置の制御方法によっても達成される。
【００１０】
また、上記目的は、撮像素子を用いて動画撮影及び静止画撮影を行い、絞りを動画撮影に係る絞り位置と静止画撮影に係る絞り位置との間で駆動する絞り駆動手段を有する撮像装置の制御方法であって、動画撮影中に静止画撮影指示があった場合に、前記動画撮影を継続しながら、前記絞り駆動手段により前記絞りを前記動画撮影に係る絞り位置から前記静止画撮影に係る絞り位置へ駆動させ、前記静止画撮影に係る絞り位置への駆動が完了した後に前記動画撮影を中断して前記静止画撮影を開始し、前記静止画撮影の終了後に前記動画撮影を再開する制御工程を含むことを特徴とする本発明による撮像装置の制御方法によっても達成される。
【００１１】
また、上記目的は、撮像素子を用いて動画撮影及び静止画撮影を行い、絞りを動画撮影に係る絞り位置と静止画撮影に係る絞り位置との間で駆動する絞り駆動手段を有する撮像装置の制御方法であって、動画撮影中に静止画撮影指示があった場合に、前記動画撮影を中断して前記静止画撮影を開始し、前記静止画撮影の終了後、前記絞り駆動手段により前記絞りを前記静止画撮影に係る絞り位置から前記動画撮影に係る絞り位置へ駆動させながら前記動画撮影を再開する制御工程を含むことを特徴とする本発明による撮像装置の制御方法によっても達成される。
【発明の効果】
【００１２】
本発明によれば、動画撮影している最中に静止画撮影を割り込んで行う場合の動画像の欠落時間を短くすることができる。
【発明を実施するための最良の形態】
【００１３】
以下、この発明の実施の形態について図を参照して説明するが、この発明は以下の実施の形態に限定されない。また、この発明の実施の形態は発明の最も好ましい形態を示すものであり、発明の範囲を限定するものではない。
【００１４】
以下、本実施形態に係る撮像装置の構成について、図１乃至図３を参照しながら説明する。図１は本実施形態に係る撮像装置１００の構成を示す概略断面図であり、光学ビューファインダモード（以下、ＯＶＦモード）状態を示す図である。図２は、撮像装置１００の電気的構成を模式的に示すブロック図である。図３は、撮像装置１００の構成を示す概略断面図であり、電子ビューファインダモード（以下、ＥＶＦモード）状態を示す図である。
【００１５】
図１に示すように、撮像装置１００は、本体１０１と、該本体１０１に着脱可能に装着されるレンズ装置１０２と、を有している。
【００１６】
撮像装置１００は、ＣＣＤあるいはＣＭＯＳイメージセンサなどの撮像素子１０６を用いた単板式のデジタルスチルカメラであり、撮像素子１０６を逐次駆動又は単発的に駆動して動画像または静止画像を表わす画像信号を得る。ここで、撮像素子１０６は、露出した光を画素毎に電気信号に変換して受光量に応じた電荷を蓄積し、蓄積された電荷を読み出すタイプのエリアセンサである。
【００１７】
レンズ装置１０２内には、撮影光学系１０３および撮影時の光量を調節する絞り１０４が設けられている。レンズ装置１０２は、公知のマウント機構を介して本体１０１に電気的、機械的に接続される。撮像装置１００では、焦点距離の異なるレンズ装置１０２を本体１０１に装着することによって、様々な画角の撮影画面を得ることが可能となっている。
【００１８】
また、レンズ装置１０２では、駆動機構（図示しない）を介して撮影光学系１０３の一部の要素であるフォーカスレンズ（図示しない）を光軸Ｌ１方向に移動させることで、撮影光学系１０３の焦点調節を行う。
【００１９】
撮像素子１０６はパッケージ１１０に収納される。撮影光学系１０３から撮像素子１０６に至る光路中には、撮像素子１０６上に被写体像（光学像）の必要以上に高い空間周波数成分が伝達されないように撮影光学系１０３のカットオフ周波数を制限する光学ローパスフィルタ１５６が設けられている。
【００２０】
撮像素子１０６から読み出された信号は、後述するように所定の処理が施された後、画像データとしてディスプレイユニット１０７上に表示される。ディスプレイユニット１０７は本体１０１の背面に取り付けられており、ユーザはディスプレイユニット１０７での表示を直接観察できるようになっている。
【００２１】
撮像素子１０６は、具体的には、増幅型固体撮像素子の１つであるＣＭＯＳプロセスコンパチブルのイメージセンサ（以降ＣＭＯＳセンサと略す）である。ＣＭＯＳセンサの特長の１つに、エリアセンサ部のＭＯＳトランジスタと撮像素子駆動回路、ＡＤ変換回路、画像処理回路といった周辺回路を同一工程で形成できるため、マスク枚数、プロセス工程がＣＣＤと比較して大幅に削減できる。また、任意の画素へのランダムアクセスが可能といった特徴も有し、ディスプレイ用に間引いた読み出しが容易であって、ディスプレイユニット１０７において高い表示レートでリアルタイム表示が行える。
【００２２】
撮像素子１０６は、上述した特徴を利用し、動画像出力動作（撮像素子１０６の受光領域のうち一部を間引いた領域での読み出し）および高精彩画像出力動作（全受光領域での読み出し）の両方の動作を行える。また、撮像素子１０６の出力を用いたコントラスト検出方式によるレンズの焦点調節も行える。
【００２３】
ハーフミラー１１１は可動型のミラー部材であり、撮影光学系１０３からの光束のうち一部を反射させるとともに、残りを透過させ、一つの光路を二つの光路に分割する。フォーカシングスクリーン１０５は撮影光学系１０３によって形成される被写体像の予定結像面に配置される。ペンタプリズム１１２はフォーカシングスクリーン１０５に結像された被写体像（逆立逆像）を正立正像に復元する。ファインダレンズ１０９はペンタプリズム１１２を介してフォーカシングスクリーン１０５に結像された被写体像を観察するためのレンズであり、一般的には複数枚のレンズで構成されている。フォーカシングスクリーン１０５、ペンタプリズム１１２及びファインダレンズ１０９は、ファインダ光学系を構成する。
【００２４】
ハーフミラー１１１の背後（像面側）には可動型のサブミラー１２２が設けられている。サブミラー１２２は、ハーフミラー１１１を透過した光束のうち光軸Ｌ１に近い光束を反射させて焦点検出ユニット１２１に導いている。また、サブミラー１２２は、駆動機構（図示しない）によりハーフミラー１１１と連動して、撮影光路に対して進退可能となっている。焦点検出ユニット１２１は、サブミラー１２２からの光束を受光して位相差検出方式による焦点検出を行う。
【００２５】
閃光発光ユニット１０８は、被写体へ閃光を照射するユニットであり、本体１０１に収納される収納位置と本体１０１から突出した発光位置との間で移動可能となっている。フォーカルプレンシャッタ１１３は、複数の遮光羽根で構成された先幕と後幕を有し、像面に入射する光量を調節する。メインスイッチ１１９は撮像装置１００の起動指示を受け付けるスイッチである。
【００２６】
レリーズボタン１２０は２段階で押圧操作されるボタンであり、半押し操作で第１スイッチがＯＮされ、全押し操作で第２スイッチがＯＮされる。第１スイッチがＯＮされた場合は、後述する中央制御回路による測光動作や焦点調節動作等の撮影準備動作が開始される。また、第２スイッチがＯＮされた場合は、中央制御回路によるフォーカルプレンシャッタ１１３の動作と撮像素子１０６から読み出された画像データの記録媒体への記録等の撮影動作が開始される。また、動画撮影中において静止画撮影をする場合、全押し操作による第２スイッチが静止画撮影起動スイッチとして機能する。
【００２７】
ファインダモード切替スイッチ１２３は、ＯＶＦモード又はＥＶＦモードの切り替え指示をユーザから受け付けるためのスイッチである。撮像装置１００では、ファインダモード切替スイッチ１２３を押すたびに被写体像の観察モードとしてＯＶＦモードおよびＥＶＦモード間の切り換えを行うことが可能となっている。
【００２８】
動画撮影スタート／ストップスイッチ１２４は、動画撮影のスタート指示又は動画撮影のストップ指示をユーザから受け付けるためのスイッチである。撮像装置１００では、ＥＶＦモードになっている状態ではじめに動画撮影スタート／ストップスイッチ１２４を押すと動画撮影が開始され、再び動画撮影スタート／ストップスイッチ１２４を押すと動画撮影が終了する。
【００２９】
情報表示ユニット１８０は、フォーカシングスクリーン１０５上に特定の情報を例えばＬＥＤ素子の点灯などにより表示させるためのユニットである。
【００３０】
次に、撮像装置１００の電気的構成を図２を参照して説明する。ここで、図１で説明した部材と同じ部材については同一符号を用いている。まず、被写体像の撮像、記録に関する部分から説明する。
【００３１】
撮像装置１００は、撮像系、画像処理系、記録再生系および制御系を有する。撮像系は、撮影光学系１０３および撮像素子１０６を有し、画像処理系は、Ａ／Ｄ変換器１３０、ＲＧＢ画像処理回路１３１およびＹＣ処理回路１３２を有する。また、記録再生系は、記録処理回路１３３および再生処理回路１３４を有し、制御系は、中央制御回路１３５、操作検出回路１３６、撮像素子駆動回路１３７、ＡＦ制御回路１４０、レンズシステム制御回路１４１を有する。
【００３２】
接続端子１３８は、外部のコンピュータ等に接続され、データの送受信を行うために規格化された端子である。上述した電気回路は、例えば小型電池や商用電源などの電源部（図示しない）からの電力供給を受けて駆動する。
【００３３】
撮像系は、被写体からの光を、撮影光学系１０３を介して撮像素子１０６の撮像面に結像させる光学処理系である。撮像系では、制御系によりレンズ装置１０２内に設けられた絞り１０４の駆動が制御されるとともに、必要に応じてフォーカルプレンシャッタ１１３の駆動が制御される。撮像系では、上述した制御により適切な光量で被写体からの光を撮像素子１０６で受光させることができる。
【００３４】
撮像素子１０６は、正方画素が合計約１０００万個の画素数を有するものであってよい。また、撮像素子１０６は、各画素にＲ（赤色）Ｇ（緑色）Ｂ（青色）のカラーフィルタが交互に配置され、４画素が一組となるいわゆるベイヤー配列を構成してよい。ベイヤー配列では、観察者が画像を見たときに強く感じやすいＧの画素をＲやＢの画素よりも多く配置することで、総合的な画像性能を上げている。一般に、この方式の撮像素子を用いる画像処理では、輝度信号は主にＧから生成し、色信号はＲ、Ｇ、Ｂから生成する。
【００３５】
撮像素子１０６から読み出された信号は、Ａ／Ｄ変換器１３０を介して画像処理系に供給される。この画像処理系での画像処理によって画像データが生成される。
【００３６】
Ａ／Ｄ変換器１３０は、撮像素子１０６の各画素から読み出された信号の振幅に応じて、例えば撮像素子１０６の出力信号を１０ビットのデジタル信号に変換して出力する信号変換回路である。従って、Ａ／Ｄ変換器１３０を介した後の画像処理はデジタル処理にて実行されることとなる。
【００３７】
画像処理系は、Ｒ、Ｇ、Ｂのデジタル信号から所望の形式の画像信号を得る信号処理回路であり、Ｒ、Ｇ、Ｂの色信号を輝度信号Ｙおよび色差信号（Ｒ−Ｙ）、（Ｂ−Ｙ）にて表わされるＹＣ信号などに変換する。
【００３８】
ＲＧＢ画像処理回路１３１は、Ａ／Ｄ変換器１３０の出力信号を処理する信号処理回路であり、ホワイトバランス回路、ガンマ補正回路、補間演算による高解像度化を行う補間演算回路など（いずれも図示しない）を有する。
ＹＣ処理回路１３２は、輝度信号Ｙおよび色差信号Ｒ−Ｙ、Ｂ−Ｙを生成する信号処理回路である。ＹＣ処理回路１３２は、高域輝度信号ＹＨを生成する高域輝度信号発生回路、低域輝度信号ＹＬを生成する低域輝度信号発生回路及び色差信号Ｒ−Ｙ、Ｂ−Ｙを生成する色差信号発生回路（いずれも図示しない）を有している。輝度信号Ｙは、高域輝度信号ＹＨと低域輝度信号ＹＬを合成することによって形成される。
【００３９】
記録再生系は、メモリ（図示しない）への画像信号の出力と、ディスプレイユニット１０７への画像信号の出力とを行う処理系である。記録処理回路１３３はメモリへの画像信号の書き込み処理および読み出し処理を行い、再生処理回路１３４はメモリから読み出した画像信号を再生して、ディスプレイユニット１０７に出力する。メモリから読み出す画像信号は、撮影された画像だけではなく、ユーザが撮像装置１００の各種設定をするために予め用意されたメニュー画面を表示することもできる。
【００４０】
また、記録処理回路１３３は、静止画データおよび動画データを表わすＹＣ信号を所定の圧縮形式にて圧縮するとともに、圧縮されたデータを伸張させる圧縮伸張回路（図示しない）を内部に有する。圧縮伸張回路は、信号処理のためのフレームメモリなどを有しており、このフレームメモリに画像処理系からのＹＣ信号をフレーム毎に蓄積し、複数のブロックのうち各ブロックから蓄積された信号を読み出して圧縮符号化する。
【００４１】
再生処理回路１３４は、輝度信号Ｙおよび色差信号Ｒ−Ｙ、Ｂ−Ｙをマトリクス変換して、例えばＲＧＢ信号に変換する回路である。再生処理回路１３４によって変換された信号はディスプレイユニット１０７に出力され、可視画像としてディスプレイユニット１０７で表示（再生）される。
【００４２】
一方、制御系における操作検出回路１３６は、メインスイッチ１１９、レリーズボタン１２０、ファインダモード切替スイッチ１２３、動画撮影スタート／ストップスイッチ１２４等（他のスイッチは図示しない）の操作を検出する。操作検出回路１３６は、この検出結果を中央制御回路１３５に出力する。
【００４３】
中央制御回路１３５は、撮像装置１００の各部の動作を中央制御する。具体的には、中央制御回路１３５は、ＲＯＭに格納されたプログラムデータを読み出してＲＡＭに展開し（いずれも図示しない）、そのプログラムデータとの協働により各部の動作を制御する。例えば、中央制御回路１３５は、操作検出回路１３６からの検出信号を受けることで、検出結果に応じた動作を行う。また、中央制御回路１３５は、撮像動作を行う際のタイミング信号を生成して、撮像素子駆動回路１３７に出力する。
【００４４】
撮像素子駆動回路１３７は、中央制御回路１３５からの制御信号を受けることで撮像素子１０６を駆動させるための駆動信号を生成する。情報表示回路１３９は、中央制御回路１３５からの制御信号を受けて情報表示ユニット１８０の駆動を制御する。
【００４５】
制御系は、中央制御回路１３５の制御の下で、本体１０１に設けられた各種スイッチの操作に応じて撮像系、画像処理系および記録再生系での駆動を制御する。例えば、レリーズボタン１２０の操作によって第２スイッチがＯＮとなった場合、制御系は、ハーフミラー１１１やフォーカルプレンシャッタ１１３の駆動、焦点検出ユニット１２１で得られた焦点検出領域での検出信号を処理するＡＦ制御回路１４０を制御する。また、制御系は、撮像素子１０６の駆動、ＲＧＢ画像処理回路１３１の動作、記録処理回路１３３の圧縮処理なども制御する。また、制御系は、情報表示回路１３９を介して情報表示ユニット１８０の駆動を制御することによって、光学ファインダ内での表示（表示セグメントの状態）を変更する。また、制御系は、中央制御回路１３５の制御の下で、予めメモリなどに記憶されたプログラム線図、撮像素子１０６で撮像された画像データの輝度値、絞り位置検出回路１０４ａで検出された絞り位置等に従って、撮像系における露出制御を行う。また、制御系は、中央制御回路１３５の制御の下で、Ａ／Ｄ変換器１３０の増幅部（図示しない）における増幅率を変更することで、撮像素子１０６の撮像感度を制御する。
【００４６】
次に、交換可能なレンズ装置１０２内の構成について説明する。レンズシステム制御回路１４１は、レンズ駆動回路１４２を介して、撮影光学系１０３を合焦位置に移動するための駆動を制御する。また、レンズシステム制御回路１４１は、絞り駆動回路１４３を介して、撮影動作時の被写体輝度に応じた絞り１０４の駆動制御を行う。絞り位置検出回路１０４ａは、絞り１０４の絞り位置を検出して検出結果をレンズシステム制御回路１４１に出力する。絞り１０４の絞り位置は、絞り１０４の駆動と連動するポテンショメータなどのセンサ（図示しない）の出力から絞り位置検出回路１０４ａにより算出される。レンズシステム制御回路１４１は、レンズ装置１０２側の通信接点１０２ａおよび本体１０１側の通信接点１０１ａを介して、本体１０１内の中央制御回路１３５と相互に通信可能となっている。レンズシステム制御回路１４１は、レンズ装置１０２の種類や、焦点距離、絞り位置等の情報を中央制御回路１３５に通知する。
【００４７】
撮像装置１００が非撮影状態（例えば図１に示す状態）にある場合では、レンズ装置１０２の絞り１０４は開放されており、更にフォーカルプレンシャッタ１１３の先幕は走行完了済みで開いた状態である。この非撮影状態において、撮影光学系１０３から入射した被写体からの光束は、ハーフミラー１１１で反射されてファインダ光学系に導かれる。また、ハーフミラー１１１を透過した光束は、サブミラー１２２で反射されて焦点検出ユニット１２１に導かれる。従って、非撮影状態は、上記光束によって形成された被写体像をファインダレンズ１０９を介して観察することができるとともに、焦点検出ユニット１２１において焦点検出を行わせることができるスタンバイ状態である。この状態が所謂ＯＶＦモードでの被写体観察モードである。通常、メインスイッチ１１９がオフされたとき及びメインスイッチ１１９がオンした直後はこの状態である。
【００４８】
図３に示すＥＶＦモード状態では、ハーフミラー１１１およびサブミラー１２２は、撮影光路から退避しており、撮影光学系１０３からの光束が直接撮像素子１０６に導かれる。ＥＶＦモード状態では、撮像素子１０６を逐次駆動させて連続的に被写体像の撮像動作を行い、撮像された画像データをディスプレイ用に間引いた読み出を行って、ディスプレイユニット１０７上でリアルタイム表示する。これにより、ユーザは、ディスプレイユニット１０７に表示された被写体像を確認しながら、撮影画像の構図を決めることができる。ＥＶＦモード状態は、焦点検出ユニット１２１を使用せず、撮像素子１０６の出力を用いたコントラスト検出方式による焦点検出を行わせることができるスタンバイ状態である。この状態が所謂ＥＶＦモードでの被写体観察モードである。このＥＶＦモード状態では、撮像素子１０６を逐次駆動させて連続的に取り込んだ画像信号を動画として記録することも可能である。
【００４９】
次に、図４〜図８を参照して中央制御回路１３５の制御の下で行われる撮像装置１００の動作について説明する。先ず、図４のフローチャートで、メインスイッチ起動後にファインダモードが確定されるまでを説明する。
【００５０】
Ｓ１では、中央制御回路１３５は、メインスイッチ１１９がＯＮに切り替わったか否かを判定する。Ｓ１でメインスイッチ１１９がＯＮに切り替わったことを検知した場合、中央制御回路１３５は、Ｓ２で撮像装置１００の各部の電気回路を起動する。
【００５１】
Ｓ３では、中央制御回路１３５は、ファインダモード切替スイッチ１２３の押下の有無を判定する。中央制御回路１３５は、ファインダモード切替スイッチ１２３が押されない状態が続いている限りは、ＯＶＦモードと判断してＳ４に進み、ＯＶＦモード処理を行う。また、中央制御回路１３５は、ファインダモード切替スイッチ１２３の押下を検出してファインダの切り替え指示を検出した場合は、Ｓ５に進み、ファインダ切り換え動作（ＯＶＦからＥＶＦへの切り換え）を行う。
【００５２】
Ｓ６では、中央制御回路１３５は、情報表示回路１３９の駆動を制御することによって、情報表示ユニット１８０によるファインダ視野内での表示を非表示状態とする。ユーザはＥＶＦモードを選択したことに従って、情報表示ユニット１８０の駆動を停止させることで、撮像装置１００での不要な電力消費を抑制し、電池の消耗を抑制することができる。
【００５３】
Ｓ７において、中央制御回路１３５は、モータ（図示せず）を駆動し、ハーフミラー１１１とサブミラー１２２を回転駆動させてミラーボックスの上部まで移動させ、ハーフミラー１１１とサブミラー１２２を撮影光路から退避させる。
【００５４】
Ｓ８では、中央制御回路１３５は、フォーカルプレンシャッタ１１３の先幕だけを走行させてバルブ露出状態にする。バルブ露出状態になることで、撮像装置１００は、撮影光学系１０３を通過した被写体光を連続的に撮像素子１０６に到達させ、ディスプレイユニット１０７上で画像を表示させるための撮像が可能な状態となる。
【００５５】
また、Ｓ８において、中央制御回路１３５は、絞り１０４を動画撮影に係る絞り値に関する情報をレンズシステム制御回路１４１に送信し、絞り１０４を動画撮影に適した絞り位置に調整する。例えば、動画撮影に係る絞り値としては、動画撮影時において被写界深度が深くなるように、なるべく絞り込んだ値が好適である。次いで、Ｓ９では、中央制御回路１３５は、ディスプレイユニット１０７の電源を投入する。
【００５６】
Ｓ１０では、中央制御回路１３５は、撮像素子１０６を逐次駆動して動画像の撮影を行い、撮像素子１０６から読み出されて画像処理された画像データをディスプレイユニット１０７上でリアルタイム表示させる。
【００５７】
Ｓ１１では、中央制御回路１３５は、ＥＶＦモードとして撮影動作のスタンバイとなり、ＥＶＦモード処理を行う。Ｓ４又はＳ１１の後のＳ１２では、中央制御回路１３５は、メインスイッチ１１９のＯＦＦなどの終了指示の有無を判定し、終了しない場合はＳ３へ処理を戻す。
【００５８】
次に、ＥＶＦモード処理について図５を参照して説明する。ＥＶＦモード処理が行われる撮影動作のスタンバイ状態では、ハーフミラー１１１およびサブミラー１２２は図３に例示した状態にある。また、上記スタンバイ状態では、撮像素子１０６にて連続的に被写体像の撮像動作を行い、ディスプレイユニット１０７でその撮像画像をリアルタイム表示している。従って、ユーザはディスプレイユニット１０７に表示された被写体像を確認しながら、構図を決めることができる。
【００５９】
図５に示すように、中央制御回路１３５は、ＥＶＦモードとして撮影動作のスタンバイとなった後も、ＯＶＦモード時と同様に常にファインダモード切替スイッチ１２３の押下を監視する（Ｓ３１）。また、中央制御回路１３５は、ファインダモード切替スイッチ１２３の監視と並行して動画撮影スタート／ストップスイッチ１２４の押下を監視する（Ｓ３２）。更には、中央制御回路１３５は、静止画撮影の起動スイッチであるレリーズボタン１２０の第１スイッチがＯＮであるか否かを監視する（Ｓ３３）。Ｓ３１においてファインダモード切替スイッチ１２３の押下を検出した場合、中央制御回路１３５は、Ｓ４２に進み、ファインダ切り換え動作（ＥＶＦからＯＶＦへの切り換え）を行う（この後の動作は後述する）。
【００６０】
Ｓ３２において動画撮影スタート／ストップスイッチ１２４の押下を検出した場合、中央制御回路１３５は、Ｓ３５へ進み、ディスプレイユニット１０７にリアルタイム表示している動画データの記録を開始する。動画データの記録は、所定レートで逐次駆動される撮像素子１０６で蓄積された電荷信号を読み出す。次いで、読み出された信号に対してＡ／Ｄ変換器１３０、ＲＧＢ画像処理回路１３１、ＹＣ処理回路１３２及び記録処理回路１３３で処理を行い、その処理により生成された連続的な撮影画像データ（動画データ）をメモリの所定領域に書き込んで行う。また、メモリに書き込まれた画像データは、順次、記録処理回路１３３などにおいて動画像の圧縮処理が行われ、インタフェースやコネクタを介してメモリカードやコンパクトフラッシュ(登録商標)カード等の記録媒体（いずれも図示しない）へ書き込まれる。
【００６１】
その後、中央制御回路１３５は、Ｓ３６で動画撮影スタート／ストップスイッチ１２４の押下を監視する共に、動画記録中にＳ３７で静止画撮影の起動スイッチであるレリーズボタン１２０の第１スイッチのＯＮを監視する。中央制御回路１３５は、動画撮影スタート／ストップスイッチ１２４が再び押下されない限りは動画記録を継続し、動画撮影スタート／ストップスイッチ１２４の押下を検出した時はＳ３９に進み、動画記録を終了する。
【００６２】
一方、ファインダモード切替スイッチ１２３及び動画撮影スタート／ストップスイッチ１２４の両方とも押下されない場合について説明する。この場合において、Ｓ３３の静止画撮影の起動スイッチであるレリーズボタン１２０の第１スイッチの押下を検出した場合は、中央制御回路１３５は、ＥＶＦモードでの撮影動作処理へ進む（Ｓ３４）。また、動画記録中にＳ３７で静止画撮影の起動スイッチであるレリーズボタン１２０の第１スイッチの押下を検出した場合は、中央制御回路１３５は、ＥＶＦモードでの撮影動作処理へ進む（Ｓ３８）。
【００６３】
更に一方、Ｓ４１のファインダ切り換え動作（ＥＶＦからＯＶＦへの切り換え）の後、中央制御回路１３５は、Ｓ４２でフォーカルプレンシャッタ１１３の後幕を走行させてシャッタを閉じる。次いで、中央制御回路１３５は、Ｓ４３でハーフミラー１１１とサブミラー１２２を撮影光路内に斜設する。次いで、中央制御回路１３５は、Ｓ４４でフォーカルプレンシャッタ１１３のチャージ駆動を行って、次なる動作としての撮影動作もしくはＥＶＦモードへの切り換え動作待機状態に備える。ここで、撮像装置１００は、図１に例示したようなＯＶＦモードとしての初期スタンバイ状態となっている。
【００６４】
次に、ＯＶＦモードから撮影動作を行う場合のＯＶＦモード処理について、図６を参照して説明する。図６に示すように、Ｓ５１では、中央制御回路１３５は、第１スイッチがオンであるか否かを判別し、第１スイッチがオンである場合にはＳ５２に進む。また、中央制御回路１３５は、第１スイッチがオフである場合には処理を終了してスタンバイに戻り、ファインダモード切り換えスイッチの状態を監視し続ける。
【００６５】
Ｓ５２において、中央制御回路１３５は、測光動作を開始し、測光結果に基づいて静止画撮影に露出値（絞り値および露出時間）を決定する。また、中央制御回路１３５は、焦点検出ユニット１２１での検出結果に基づいてフォーカスレンズを合焦位置まで駆動することで焦点調節動作を行う。
【００６６】
Ｓ５３では、中央制御回路１３５は、第２スイッチがオンであるか否かを判別しており、第２スイッチがオフの場合にはＳ５１へ戻り、第１スイッチがオンであるか否かを判別する。そして、Ｓ５３において、第２スイッチがオンの場合には中央制御回路１３５はＳ５４に進む。
【００６７】
Ｓ５４において、中央制御回路１３５は、モータ（図示せず）を駆動し、ハーフミラー１１１とサブミラー１２２を連動して回転駆動させて撮影光路から退避させる。
【００６８】
Ｓ５５において、中央制御回路１３５は、測光結果に基づいた絞り値に関する情報をレンズシステム制御回路１４１に送信する。絞り値に関する情報を受信したレンズシステム制御回路１４１は、上記絞り値に応じた絞り口径となるように、レンズ装置１０２内に設けられた絞り１０４の駆動を制御する。
【００６９】
Ｓ５６において、中央制御回路１３５は、撮像素子１０６の電荷をクリアにした後、撮像素子１０６での電荷蓄積を開始させる。Ｓ５７において、中央制御回路１３５は、フォーカルプレンシャッタ１１３を開き状態に駆動し、撮像素子１０６への露光動作を開始させる。
【００７０】
Ｓ５８において、中央制御回路１３５は、測光動作により決定された露出値に基づいて閃光発光ユニット１０８を発光させるか否かを判別する。ここで、閃光発光ユニット１０８を発光させる必要があると判断した場合にはＳ５９に進み、発光させる必要がないと判断した場合にはＳ６０に進む。
【００７１】
Ｓ５９において、中央制御回路１３５は、閃光発光ユニット１０８の駆動を制御することにより、被写体に対して照明光を照射させる。Ｓ６０において、中央制御回路１３５は、先に決定された所定の露出時間が経過した場合には、フォーカルプレンシャッタ１１３を閉じ状態に駆動制御することによって、撮像素子１０６の露出を終了させる。
【００７２】
Ｓ６１において、中央制御回路１３５は、レンズシステム制御回路１４１に対して絞りを絞り開放値まで駆動させるように指示を行う。これにより、レンズシステム制御回路１４１において、絞り開放値となるように絞りの駆動制御が行われる。
【００７３】
Ｓ６２では、中央制御回路１３５は、ミラー駆動制御回路を制御することによってモータ（いずれも図示せず）を駆動する。モータの駆動により、ハーフミラー１１１は、撮影光路から退避した位置から撮影光路内に侵入してファインダへ光を導く撮影前の位置に戻る。同時にモータの駆動に連動するサブミラー１２２も、元の撮影光路内に侵入して焦点検出ユニット１２１へ光を導く位置に移動する。
【００７４】
Ｓ６３では、中央制御回路１３５は、設定した電荷蓄積時間が経過したことを確認し、撮像素子１０６での電荷蓄積処理を終了させる。
【００７５】
Ｓ６４では、中央制御回路１３５は、撮像素子１０６から蓄積された電荷信号を読み出す。中央制御回路１３５は、読み出された信号に対してＡ／Ｄ変換器１３０、ＲＧＢ画像処理回路１３１、ＹＣ処理回路１３２及び記録処理回路１３３での処理を行う。そして、上記処理によって生成された撮影画像データ（静止画データ）を、メモリの所定領域に書き込む。
【００７６】
Ｓ６５において、中央制御回路１３５は、記録再生系、必要に応じて画像処理系を用いて、メモリの所定領域に書き込まれた撮影画像データを読み出して現像・圧縮処理を行う。具体的には、中央制御回路１３５は、内部メモリに記憶した演算結果を用いて、オートホワイトバランス処理、ガンマ変換処理、色変換処理を含む各種現像処理を撮像画像データに施す。更に、設定したモードに応じた画像圧縮処理を圧縮・伸長回路（図示しない）により行い、メモリの画像記憶バッファ領域の空き画像部分に、圧縮処理された画像データの書き込みを行う。
【００７７】
Ｓ６６では、一連の撮影動作の実行に伴い、中央制御回路１３５は、メモリの画像記憶バッファ領域に記憶した画像データを読み出す。次いで、中央制御回路１３５は、記録処理を行い、読み出した画像データをインタフェースやコネクタを介して、メモリカードやコンパクトフラッシュ(登録商標)カード等の記録媒体（いずれも図示しない）へ書き込む。記録処理は、メモリの画像記憶バッファ領域の空き画像部分に、撮影して一連の処理を終えた画像データの書き込みが新たに行われる度に、その画像データに対して実行される。
【００７８】
Ｓ６７では、中央制御回路１３５は、モータ（図示せず）を駆動してシャッタチャージを行い、フォーカルプレンシャッタ１１３の先幕および後幕を露出準備位置までチャージする。そして、記録終了後は、再び第１スイッチの状態を監視するＳ５１へ戻り、次の撮影動作に備える。
【００７９】
次に、ＥＶＦモードで動画撮影を行っている最中に静止画撮影動作を行う場合の処理であるＥＶＦモードでの撮影動作処理について、図７を参照して説明する。
【００８０】
先ず、Ｓ８１では、中央制御回路１３５は、第１スイッチがオンであるか否かを判別し、第１スイッチがオンである場合にはＳ８２に進み、第１スイッチがオフである場合には撮影動作処理を抜けて前の処理にリターンする。リターン先としては、Ｓ３４又はＳ３８の後の処理である。
【００８１】
Ｓ８２において、中央制御回路１３５は、撮像素子１０６で撮像した画像データに基づいた測光動作を開始し、測光結果に基づいて静止画撮影に適した露出値（絞り値および露出時間）を決定する。また、撮像素子１０６の出力を用いたコントラスト検出方式による焦点検出に基づいてフォーカスレンズの焦点調節動作を行う。
【００８２】
Ｓ８３では、中央制御回路１３５は、第２スイッチがオンであるか否かを判別しており、第２スイッチがオフの場合にはＳ８１へ戻り、第１スイッチがオンであるか否かを判別する。すなわち、第２スイッチがオンになるまではディスプレイユニット１０７に被写体像のリアルタイム表示が継続して行われる。一方、Ｓ８３において、第２スイッチがオンの場合にはＳ８４に処理が進む。
【００８３】
Ｓ８４において、中央制御回路１３５は、測光結果に基づいた絞り値に関する情報をレンズシステム制御回路１４１に送信する。絞り値に関する情報を受信したレンズシステム制御回路１４１は、上記絞り値に応じた静止画撮影用の絞り口径となるように、レンズ装置１０２内に設けられた絞り１０４の駆動を制御する。
【００８４】
静止画撮影起動前のディスプレイユニット１０７にリアルタイム表示をしている状態では、なるべく絞り込んで被写界深度を深くとり、レンズの合焦移動を抑制しているため、静止画撮影時に適した絞りと異なる。従って、Ｓ８４では、あらためて静止画撮影のための絞り制御を行う必要がある。
【００８５】
Ｓ８５において、中央制御回路１３５は、絞り位置検出回路１０４ａの出力により、静止画撮影に適した絞り値に設定された絞り位置まで絞りが駆動されたことを検出後、Ｓ８６でディスプレイユニット１０７のリアルタイム表示を停止する。また、中央制御回路１３５は、動画記録を中断する。即ち、撮像装置１００では、静止画起動スイッチであるレリーズボタン１２０の第１、第２スイッチが押下された後も、絞り１０４を静止画撮影に係る絞り値とする駆動動作が完了するまでは、動画撮影が継続される。そして、絞り１０４を静止画撮影に係る絞り値とする駆動が完了した後に動画記録が中断される。
【００８６】
しかし、絞り１０４が動作途中の動画は、絞り１０４の絞り値に応じて露出量が変化してしまう。従って、撮像装置１００では、絞り１０４を静止画撮影に係る絞り値とする駆動動作が完了するまでの期間、絞り１０４の変化に合わせて撮像素子１０６の撮像感度を段階的に変更し、動画の輝度変化を抑制する（Ｓ８７）。
【００８７】
具体的には、Ｓ８７において、感度制御手段としての中央制御回路１３５は、絞り位置検出回路１０４ａの出力により絞り１０４の絞り位置を検出し、動画撮影時において撮像素子１０６を逐次駆動する際の撮像感度を絞り１０４の絞り位置に応じて制御する。例えば、中央制御回路１３５は、静止画撮影指示があった時点の動画像の輝度レベルを上述した期間保つように、絞り１０４の絞り位置とプログラム線図に基づいて、絞り１０４の絞り位置の変化に合わせた撮像感度を逐次算出する。中央制御回路１３５は、逐次算出された撮像感度で撮像素子１０６での撮像を行うように、Ａ／Ｄ変換器１３０の増幅部における増幅率を制御することで、上述した期間において輝度変化を抑制して輝度レベルが一定である動画を撮影可能となる。
【００８８】
次いで、Ｓ８８において、中央制御回路１３５からの制御により、撮像素子駆動回路１３７は、撮像素子１０６の最上ラインから下方へ順次電荷リセットを行い、新たな露光動作として、電荷蓄積を開始する。
【００８９】
即ち、撮像素子１０６の最上ラインから下方へ順次電荷リセットを行う動作がフォーカルプレンシャッタ１１３の先幕を走行することと等価の役割を果たている。また、撮像素子１０６の最上ラインから下方への順次電荷リセットする動作に追従してフォーカルプレンシャッタ１１３の遮光羽根で構成された後幕を走行させることで、撮像素子１０６にスリット露光される状態を作り出している。以後、シャッタの先幕として機能する撮像素子の順次リセット動作を電子先幕シャッタと呼び、フォーカルプレンシャッタ１１３の先幕及び後幕を「メカ先幕シャッタ」及び「メカ後幕シャッタ」と呼ぶ。
【００９０】
Ｓ８９において、中央制御回路１３５は、動作により決定された露出値に基づいて閃光発光ユニット１０８を発光させるか否かを判別する。ここで、閃光発光ユニット１０８を発光させる必要があると判断した場合にはＳ９０に進み、発光させる必要がないと判断した場合にはＳ９１に進む。
【００９１】
Ｓ９０において、中央制御回路１３５は、閃光発光ユニット１０８の駆動を制御することにより、被写体に対して照明光を照射させる。Ｓ９１において、中央制御回路１３５は、先に決定された所定の露出時間が経過した場合には、フォーカルプレンシャッタ１１３のメカ後幕シャッタを閉じ状態に駆動制御することによって、撮像素子１０６の露出を終了させる。
【００９２】
Ｓ９２では、中央制御回路１３５は、設定した電荷蓄積時間が経過したことを確認し、撮像素子１０６での電荷蓄積処理を終了させる。電荷蓄積終了（Ｓ９２）後は、中央制御回路１３５は、画像信号処理シーケンス（Ｓ９３〜Ｓ９５）とメカニカルな動作シーケンス（Ｓ９６〜Ｓ９８）とを並行して処理する。
【００９３】
Ｓ９３では、中央制御回路１３５は、撮像素子１０６から蓄積された電荷信号を読み出す。中央制御回路１３５は、読み出された信号に対してＡ／Ｄ変換器１３０、ＲＧＢ画像処理回路１３１、ＹＣ処理回路１３２及び記録処理回路１３３での処理を行う。そして、上記処理によって生成された撮影画像データ（静止画データ）を、メモリの所定領域に書き込む。
【００９４】
Ｓ９４において、中央制御回路１３５は、メモリの所定領域に書き込まれた撮影画像データを読み出して現像・圧縮処理を行う。具体的には、中央制御回路１３５は、内部メモリに記憶した演算結果を用いて、オートホワイトバランス処理、ガンマ変換処理、色変換処理を含む各種現像処理を撮像画像データに施す。更に、設定したモードに応じた画像圧縮処理を圧縮・伸長回路（図示しない）により行い、メモリの画像記憶バッファ領域の空き画像部分に、圧縮処理された画像データの書き込みを行う。
【００９５】
Ｓ９５では、一連の撮影動作の実行に伴い、中央制御回路１３５は、メモリの画像記憶バッファ領域に記憶した画像データを読み出す。次いで、中央制御回路１３５は、記録処理を行い、読み出した画像データをインタフェースやコネクタを介して、メモリカードやコンパクトフラッシュ(登録商標)カード等の記録媒体（いずれも図示しない）へ書き込む。
【００９６】
並列処理の一方のＳ９６において、中央制御回路１３５は、レンズシステム制御回路１４１に対して絞り１０４を動画に適した絞り値まで駆動させるように指示を行う。これにより、レンズシステム制御回路１４１において、絞り１０４の駆動制御が行われる。
【００９７】
Ｓ９７では、中央制御回路１３５は、モータ（図示せず）を駆動してシャッタチャージを開始する。Ｓ９７のチャージ機構により、撮像装置１００では、一旦フォーカルプレンシャッタ１１３の先幕および後幕が露出準備位置までチャージされる。その後、中央制御回路１３５は、Ｓ９８でメカ先幕シャッタだけを走行させてバルブ露出状態にして撮像素子１０６に被写界光を導く。
【００９８】
中央制御回路１３５は、メカ先幕シャッタが走行し終わった直後から、動画撮影を再開し、合わせてディスプレイユニット１０７でリアルタイム表示を開始するとともに、動画記録を再開する（Ｓ９９）。絞り１０４を動画に適した絞り値まで駆動させるよりもメカ先幕シャッタの走行の方が早く終了する。従って、撮像装置１００における動画撮影の再開は、Ｓ９２における静止画撮影終了後であって、Ｓ９６における絞り駆動が完了する前となる。
【００９９】
メカ先幕シャッタが走行し終わった直後から、動画撮影は再開しているものの、絞り１０４は動作途中である。従って、中央制御回路１３５は、Ｓ１００で絞り位置検出回路１０４ａの出力により、動画撮影に適した絞り値に対応した指定の絞り位置の有無を判定する。中央制御回路１３５は、Ｓ１００の判定により上記絞り位置の検出前までの期間、絞り１０４の変化に合わせて撮像素子１０６の撮像感度を段階的に変更して動画の輝度変化を抑制する（Ｓ１０１）。即ち、中央制御回路１３５は、絞り１０４を動画に係る絞り値とする駆動動作が完了するまでの期間に撮像される動画の輝度変化を抑制する。
【０１００】
具体的には、Ｓ１０１において、感度制御手段としての中央制御回路１３５は、絞り位置検出回路１０４ａの出力により絞り１０４の絞り位置を検出し、動画撮影時において撮像素子１０６を逐次駆動する際の撮像感度を絞り１０４の絞り位置に応じて制御する。例えば、中央制御回路１３５は、静止画撮影指示があった時点の動画像の輝度レベルを上述した期間保つように、絞り１０４の絞り位置とプログラム線図に基づいて、絞り１０４の絞り位置の変化に合わせた撮像感度を逐次算出する。中央制御回路１３５は、逐次算出された撮像感度で撮像素子１０６での撮像を行うように、Ａ／Ｄ変換器１３０の増幅部における増幅率を制御する。従って、撮像装置１００は、上述した期間において輝度変化を抑制するとともに、静止画撮影の前の輝度レベルで一定である動画を撮影可能となる。
【０１０１】
Ｓ１００において、絞り１０４が動画に適した絞り値まで駆動された位置に到達したことを検出した場合、中央制御回路１３５は、再び第１スイッチの状態を監視するＳ８１へ戻り、動画撮影が継続されるなか、次の静止画撮影動作に備える。
【０１０２】
ＥＶＦモードからすぐに静止画撮影動作を行う場合については、図７におけるＳ８６（動画記録  中断）とＳ９８（動画記録  再開）における動画記録に関する動作がないことが異なるのみで他の処理は同じである。例えば、ＥＶＦモードからすぐに静止画撮影動作を行う場合も、ディスプレイユニット１０７にリアルタイム表示を停止したり再開したりする動作は同じである。
【０１０３】
上述した処理により、図８に示すように、撮像装置１００は、動画撮影を中断して静止画撮影を行う場合において、動画撮影に係る絞り値から静止画撮影に係る絞り値に切り替える絞り動作期間中においても、動画撮影を継続して行うことができる。また、撮像装置１００は、静止画撮影後に動画撮影を再開する場合において、静止画撮影に係る絞り値から動画撮影に係る絞り値に切り替える絞り動作が完了する前に動画撮影を再開することができる。従って、撮像装置１００は、動画を撮影している最中に静止画撮影を行う場合において、動画の欠落時間を短縮することができる。
【０１０４】
例えば、動画撮影時の絞り値に対して大きく異なる絞り値を静止画撮影時の絞り値としてユーザが指定し、絞り動作期間が長くなる場合であっても、動画の欠落時間を短縮することが可能となる。また、動画の欠落時間を短縮するために静止画撮影時の絞り値に制約がかかることがなく、ユーザが指定したとおりの絞り値で静止画撮影が行われる場合であっても、動画の欠落時間を短縮することが可能となる。
【０１０５】
更に、撮像装置１００は、静止画撮影の準備として絞り１０４の絞り動作期間中に動画撮影を継続しても、絞り１０４の動作中において、撮像素子１０６の撮像感度を絞り１０４の絞り位置に応じて段階的に変更する。具体的には、静止画撮影指示があった時点の動画像の輝度レベルを保つように、撮像素子１０６の撮像感度を絞り１０４の絞り位置に応じて変更する。また、撮像装置１００は、動画撮影の準備として絞り１０４の絞り動作期間中に動画撮影を再開しても、絞り１０４の動作中において、撮像素子１０６の撮像感度を絞り１０４の絞り位置に応じて段階的に変更する。具体的には、静止画撮影指示があった時点の動画像の輝度レベルを保つように、撮像素子１０６の撮像感度を絞り１０４の絞り位置に応じて変更する。従って、撮像装置１００は、動画の欠落時間を短縮するとともに、自然なつながりのある動画像を得ることができる。
［変形例］
上記実施形態では、絞り位置検出回路１０４ａの出力により、絞りの動作位置を検出することを説明した。以下、これに代わる方法を用いた変形例として、絞り１０４の駆動時間を計測することにより、絞りの位置を特定する方法を説明する。
【０１０６】
変形例では、絞り１０４が開放から各絞り値まで絞る時の絞り方向所要時間と、各絞り値から開放までの開き方向所要時間のそれぞれのタイムテーブルを中央制御回路１３５に内蔵した記憶部に記憶している。すなわち、このタイムテーブルは、各絞り位置から他の絞り位置の各々へ駆動が完了するまでの所要時間が予め設定された動作時間情報である。中央制御回路１３５は、動画撮影時に適用する絞り値から静止画撮影時に適用する絞り値までの絞り１０４の動作時間及び静止画撮影時に適用する絞り値から動画撮影時に適用する絞り値までの絞り１０４のタイムテーブルより割り出す。
【０１０７】
これにより、中央制御回路１３５による動作クロックをカウントするなどの計時処理に従い、絞り１０４の動作開始からの駆動時間を計時することで、絞り１０４の絞り位置を検出することが可能となる。従って、絞り１０４の駆動時間を計測する変形例においても絞りの動作完了を認識することができる。
【０１０８】
なお、上述した実施の形態における記述は、一例を示すものであり、これに限定するものではない。上述した実施の形態における構成及び動作に関しては、適宜変更が可能である。
【０１０９】
例えば、上述した実施形態で示した図８のタイムチャートおいて、絞りの動作は、一旦開放まで動作した後、所定の絞り値に動作するものを示したが、これに限るものではなく、開放動作をせずに直接所定の絞り値まで動作するものであってもよい。
【０１１０】
（他の実施形態）
上述の実施形態は、システム或は装置のコンピュータ（或いはＣＰＵ、ＭＰＵ等）によりソフトウェア的に実現することも可能である。従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【０１１１】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【０１１２】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。つまり、上述の実施形態を実現するためのプログラムファイルをクライアントコンピュータに提供するサーバ装置も本発明の一つである。
【０１１３】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。また、上述の実施形態を実現するためのコンピュータプログラムは、すでにコンピュータ上で稼働するＯＳの機能を利用するものであってもよい。さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【０１１４】
【図１】本実施形態に係る撮像装置の構成を示す概略断面図である。
【図２】本実施形態に係る撮像装置の電気的構成を模式的に示すブロック図である。
【図３】本実施形態に係る撮像装置の構成を示す概略断面図である。
【図４】本実施形態に係る撮像装置の動作を示すフローチャートである。
【図５】本実施形態に係るＥＶＦモード処理を示すフローチャートである。
【図６】本実施形態に係るＯＶＦモード処理を示すフローチャートである。
【図７】本実施形態に係る撮影動作処理を示すフローチャートである。
【図８】ＥＶＦモードで動画撮影中に静止画撮影した本実施形態に係る撮像装置の動作を示すタイムチャートである。
【図９】ＥＶＦモードで動画撮影中に静止画撮影した従来の撮像装置の動作を示すタイムチャートである。
【符号の説明】
【０１１５】
１００  撮像装置
１０１  本体
１０２  レンズ装置
１０３  撮影光学系
１０４  絞り
１０４ａ  絞り位置検出回路
１０６  撮像素子
１０７  ディスプレイユニット
１２０  レリーズボタン
１２１  焦点検出ユニット
１２３  ファインダモード切替スイッチ
１２４  動画撮影スタート／ストップスイッチ
１３０  Ａ／Ｄ変換器
１３５  中央制御回路
１４０  ＡＦ制御回路
１４１  レンズシステム制御回路
１４２  レンズ駆動回路
１４３  絞り駆動回路
【図１】
2010074795.tif 000003
【図２】
2010074795.tif 000004
【図３】
2010074795.tif 000005
【図４】
2010074795.tif 000006
【図５】
2010074795.tif 000007
【図６】
2010074795.tif 000008
【図７】
2010074795.tif 000009
【図８】
2010074795.tif 000010
【図９】
2010074795.tif 000011